(57)【特許請求の範囲】
【請求項１】
建物入隅部に設けられた入隅状軒樋の外側壁の軒樋入隅部に取り付けて用いられ且つ前記外側壁より上方に突出する入隅状化粧板を備える軒樋用入隅飾りであって、
前記入隅状軒樋の通水路上に位置させられ且つ前記入隅状化粧板に沿う入隅状水受部材が前記入隅状化粧板に設けられていると共に、前記水受部材の少なくとも上縁に前記入隅状化粧板側とは反対側に突出する雨水返し用の上張出部が設けられていることを特徴とする軒樋用入隅飾り。
【請求項２】
前記入隅状水受部材の両側縁には前記入隅状化粧板側とは反対側に突出し且つ前記上張出部に連設された側縁張出部が設けられていることを特徴とする請求項１に記載の軒樋用入隅飾り。
【請求項３】
前記側縁張出部の前記入隅状化粧板側とは反対側の縁部には前記入隅状水受部材の側縁部に対向する飛散防止部が連設されていることを特徴とする請求項２に記載の軒樋用入隅飾り。
【請求項４】
請求項１〜３のいずれか一つに記載の軒樋用入隅飾りを備えることを特徴とする建物。
【発明の詳細な説明】
【技術分野】
【０００１】
この発明は、建物の軒樋に設けられる軒樋用入隅飾りに関する。
【背景技術】
【０００２】
従来、図７に示すように、建物１の入隅を形成する壁部に沿う軒先には入隅状軒樋４が設けられ、この入隅状軒樋４の軒樋入隅部Ａには、その軒樋４から上方へ突出するように飾り板５が設けられているのが普通である。
【０００３】
このような飾り板５は入隅状軒樋４の平面から見て垂直に曲がった軒樋入隅部Ａの部分で前側の耳部９の上方に取り付けられる。即ち、直線状軒樋４ａの耳部９及び軒樋同士を連結する曲り継手１１の耳部１１ａの上に沿って取り付けられる（例えば、特許文献１参照）。
【０００４】
また、曲り継手１１の耳部１１ａは曲り継手１１にて直線状軒樋４ａを接続したとき、直線状軒樋４ａの耳部９に被嵌される。
【０００５】
尚、飾り板５は合成樹脂等からなり、必要に応じて適宜模様等が設けられる。
【特許文献１】特開平１１−１３２２９号公報
【発明の開示】
【発明が解決しようとする課題】
【０００６】
しかしながら、片流れ屋根の建物など、雨水を受ける屋根受け面積が大きい建物では集中豪雨時に建物の屋根に降った雨水が谷部に集中する。それにより建物の入隅に設けられた入隅状軒樋へと流れ込む雨水の流下量と流下速度が共に増し、谷部から流れる雨水が入隅状軒樋の外側の曲りを飛び越えて軒樋外に飛散してしまうといった問題がある。
【０００７】
また、入隅状軒樋の軒樋入隅部に飾り板が設けられていても、雨水は飾り板の脇から軒樋外へ飛散したり、化粧板に当った雨水が化粧板の上端部から軒樋外へ飛散してしまうので、軒樋内に雨水を流し込むことができないという問題がある。
【０００８】
この発明は、上述した問題点を解決し、雨水を受ける屋根受け面積が大きい建物においても、雨水が入隅状軒樋を飛び越えて飛散することを防止する軒樋用入隅飾りを提供することを目的とする。
【課題を解決するための手段】
【０００９】
上記問題点を解決するため請求項１の発明は、建物入隅部に設けられた入隅状軒樋の外側壁の軒樋入隅部に取り付けて用いられ且つ前記外側壁より上方に突出する入隅状化粧板を備える軒樋用入隅飾りであって、前記入隅状軒樋の通水路上に位置させられ且つ前記入隅状化粧板に沿う入隅状水受部材が前記入隅状化粧板に設けられていると共に、前記水受部材の少なくとも上縁に前記入隅状化粧板側とは反対側に突出する雨水返し用の上張出部が設けられていることを特徴とする。
【００１０】
また、請求項２の発明は、前記入隅状水受部材の両側縁には前記入隅状化粧板側とは反対側に突出し且つ前記上張出部に連設された側縁張出部が設けられていることを特徴とする。
【００１１】
また、請求項３の発明は、前記側縁張出部の前記入隅状化粧板側とは反対側の縁部には前記入隅状水受部材の側縁部に対向する飛散防止部が連設されていることを特徴とする。
【００１２】
また、請求項４の発明は、請求項１〜３のいずれか一つに記載の軒樋用入隅飾りを備えることを特徴とする建物である。
【発明の効果】
【００１３】
請求項１の発明によれば、入隅部の軒先から流れ落ちる雨水を受水するための入隅状水受部材と、受水した雨水が入隅状水受部材の上方から飛散しないようにするための上張出部とが入隅状化粧板と一体に形成されているので、雨水が入隅状軒樋を飛び越えて飛散することを防止することができる。
【００１４】
請求項２の発明によれば、屋根側へと雨水を案内する側縁張出部を設けたことにより、入隅状水受部材の両側方向に排出された雨水が軒樋の外側壁から軒樋外に飛散することを防止することができる。
【００１５】
請求項３の発明によれば、側縁張出部により屋根側へと案内された雨水が飛散防止部に沿って流れるので、雨水が屋根側に飛散することが防止される。
【００１６】
請求項４の発明によれば、雨水の飛散を防止する軒樋用入隅飾りを建物に設けるので、屋根又は入隅を形成する壁部に雨水が飛散することがなく、飛散した雨水の汚れにより建物の外観が損なわれることがない。
【発明を実施するための最良の形態】
【００１７】
以下、この発明に係る軒樋用入隅飾りの実施例１を図面に基づいて説明する。
【実施例１】
【００１８】
図１は、本発明の実施例１に係る軒樋用入隅飾りが設けられた建物の概略構成図と入隅部における拡大斜視図である。
【００１９】
図１に示すように、建物１には入隅を形成する２つの壁部１ａ、１ａから突出するまで傾斜して延びる屋根２、２が設けられている。この各屋根２、２は互いに隣接し、その各屋根２、２の隣接縁は連設されている。また、各屋根２、２の連設位置には、入隅まで傾斜する谷部が形成され、この谷部には谷樋３が設けられている。更に、屋根２、２の軒先には、その軒先に沿い且つ垂直に折り曲げられた曲り継手１１を介して互いに直交する直線状の軒樋部分４ａ、４ａがブラケット等の軒樋支持具（図示省略）を介して配置され、入隅状の軒樋４を形成している。しかも、軒樋４の外側壁４ｂで軒樋入隅部Ａには垂直に折り曲げられた軒樋用入隅飾り５が設けられている。
【００２０】
尚、この軒樋用入隅飾り５は、耐候性に優れたＡＥＳ樹脂等からなる合成樹脂により一体成形される。
【００２１】
図２に示すように、この軒樋用入隅飾り５は、建物の外側に面する化粧板６とその前方側に連結板部５ａを介して設けられる水受部材７ａとが一体に形成されている。
【００２２】
尚、化粧板６は、軒樋４の軒樋入隅部Ａに沿って垂直に折り曲げて形成されている。
【００２３】
また、連結板部５ａの基部５ａ１の前後方向両端部には化粧板６と水受部材７ａとが一体に連結されている。更に、基部５ａ１の両側の垂直に折り曲げられた板部５ａ２には、軒樋４に軒樋用入隅飾り５を嵌合固定するための取着部８、８とが一体に連結されている。この取着部８、８は、化粧板６と水受部材７ａとの間で化粧板６の両側縁部に一体に形成されている。
【００２４】
しかも、取着部８、８には、その屋根側面上の下端部から化粧板６の上端部にまで補強部材であるリブ１０が設けられている。
【００２５】
このリブ１０は、入隅に積雪した雪が軒先から落下し、軒樋用入隅飾り５に当たっても、その落下による荷重で取着部８、８が破損しないようにするためのものである。
【００２６】
一方、水受部材７ａは化粧板６に沿って垂直に折り曲げられ、その水受部材７ａの上端部には前方側へ突出する上張出部７ｂが形成されている。また、この上張出部７ｂは、水平な面部７ｂ１とその面部７ｂ１から水受部材７ａの上端部に沿って下方に傾斜する傾斜面部７ｂ２、７ｂ２とからなる。
【００２７】
図３に示すように、軒樋用入隅飾り５は、軒樋４の外側壁４ｂに設けられた耳部９を化粧板６と取着部８、８で挟み込み、接着剤等で接着固定される。この際、取着部８、８の下端部に設けられた係止片８ａは耳部９の水受部材７ａ側方向に形成された凹部に係止されると共に化粧板６の下端部に設けられた係止片６ａは耳部９の下端面に係止される。
【００２８】
次に、実施例１にかかる軒樋用入隅飾りの作用を説明する。
【００２９】
図１及び図３に示すように、片流れ屋根の谷部に集められた雨水は谷樋３を流下し、軒樋用入隅飾り５の上方を飛び越えることなく図３の矢印Ａで示すように水受部材７ａに受水される。次に、雨水はその水受部材７ａに沿って分流される。その後、雨水は図３の矢印Ｂで示すように水受部材７ａに沿って流れた後、軒樋４内に流れ込み、軒樋４内を流れ縦樋（図示省略）へと導かれる。
【００３０】
従って、雨水が谷樋３から勢い良く流下しても、水受部材７ａ及び上張出部７ｂによって受水されるので軒樋４を飛び越えて飛散することがない。
【００３１】
以下、本発明に係る軒樋用入隅飾りの実施例２を図面に基づいて説明する。
【実施例２】
【００３２】
本発明の実施例２に係る軒樋用入隅飾りの構成は、軒樋用入隅飾り５の一部の構成を除いて上記実施例１に係る構成と同じである。従って、以下実施例２に係る構成の説明は、軒樋用入隅飾り５のみを実施例１における構成の符号を用いて説明していくことにする。
【００３３】
図４に示すように、水受部材７ａの両側縁部には側縁張出部７ｃ、７ｃが形成されている。
【００３４】
また、水受部材７ａと側縁張出部７ｃ、７ｃ及び上張出部７ｂの前方側の縁部には、略台形状の飛散防止部７ｄ、７ｄが水受部材７ａの側縁部に対向するように設けられている。
【００３５】
次に、実施例２に係る軒樋用入隅飾りの作用を説明する。
【００３６】
図１及び図５（ａ）、（ｂ）に示すように、片流れ屋根の谷部に集められた雨水は谷樋３を流下し、軒樋用入隅飾り５の上方を飛び越えることなく図５（ａ）、（ｂ）の矢印Ａで示すように水受部材７ａに受水される。次に、図５（ｂ）の矢印Ｂで示すように雨水は水受部材７ａに沿って分流される。その後、雨水は、図５（ｂ）の矢印Ｃで示すように側縁張出部７ｃ、７ｃにより水受部材７ａの折れ曲がり位置方向へと回り込み、図５（ａ）、（ｂ）の矢印Ｄに示すように飛散防止部７ｄ、７ｄに沿って案内されて軒樋４内に流れ込む。そして、雨水は軒樋４内を流れ縦樋（図示省略）へと導かれる。
【００３７】
従って、雨水が谷樋３から勢い良く流下しても水受部材７ａ及び上張出部７ｂによって受水されるので軒樋４を飛び越えて飛散することがない。
【００３８】
また、側縁張出部７ｃ、７ｃ及び飛散防止部７ｄ、７ｄにより、雨水が水受部材７ａの両側から飛散して、軒樋４の外側壁４ｂから軒樋４外へ若しくは屋根側へと飛散することが防止される。
【００３９】
以上説明したように本発明の実施の形態に係る軒樋用入隅飾りは、建物入隅部に設けられた入隅状軒樋４の外側壁４ｂの軒樋入隅部Ａに取り付けて用いられ且つ外側壁４ｂより上方に突出する入隅状化粧板６を備える軒樋用入隅飾り５であって、入隅状軒樋４の通水路上に位置させられ且つ入隅状化粧板６に沿う入隅状水受部材７ａが入隅状化粧板６に設けられていると共に、水受部材７ａの少なくとも上縁に入隅状化粧板６側とは反対側に突出する雨水返し用の上張出部７ｂが設けられていることを特徴とする。
この構成によれば、入隅部の軒先から流れ落ちる雨水を受水するための水受部材７ａと、受水した雨水が水受部材７ａの上方から飛散しないようにするための上張出部７ｂとが化粧板６と一体に形成されているので、雨水が軒樋４を飛び越えて飛散することを防止することができる。
【００４０】
また、本発明の実施の形態に係る軒樋用入隅飾りは、入隅状水受部材７ａの両側縁には入隅状化粧板６側とは反対側に突出し且つ上張出部７ｂに連設された側縁張出部７ｃ、７ｃが設けられていることを特徴とする。
【００４１】
この構成によれば、屋根２、２側へと雨水を案内する側縁張出部７ｃ、７ｃを設けたことにより、水受部材７ａの両側方向に排出された雨水が軒樋４の外側壁４ｂから軒樋４外に飛散することを防止することができる。
【００４２】
また、本発明の実施の形態に係る軒樋用入隅飾りは、側縁張出部７ｃ、７ｃの入隅状化粧板６側とは反対側の縁部には入隅状水受部材７ａの側縁部に対向する飛散防止部７ｄ、７ｄが連設されていることを特徴とする。
【００４３】
この構成によれば、側縁張出部７ｃ、７ｃにより屋根２、２側へと案内された雨水が飛散防止部７ｄ、７ｄに沿って流れるので、雨水が屋根２、２側に飛散することが防止される。
【００４４】
また、本発明の実施の形態に係る軒樋用入隅飾りは、請求項１〜３のいずれか一つに記載の軒樋用入隅飾りを備えることを特徴とする建物である。
【００４５】
この構成によれば、雨水の飛散を防止する軒樋用入隅飾り５を建物１の入隅に設けるので、屋根２、２又は入隅を形成する壁部１ａ、１ａに雨水が飛散することがない。従って、飛散した雨水の汚れが建物１の外観を損なうことがない。
【００４６】
また、本発明の実施の形態に係る軒樋用入隅飾りは、建物入隅を形成する２つの壁部１ａ、１ａから突出するまで傾斜して延び且つ隣接縁を互いに連設させた２つの傾斜屋根部２、２が設けられ、２つの傾斜屋根部２、２間に入隅まで傾斜する谷部が形成され、２つの傾斜屋根部２、２の軒先に沿う入隅状の軒樋４が設けられていると共に、軒樋４の外側壁４ｂの軒樋入隅部Ａに上方に突出する入隅状化粧板６が軒樋用入隅飾り５として取り付けられた軒樋用入隅飾り付建物１であって、入隅状軒樋４の通水路上に位置させられ且つ入隅状化粧板６に沿う入隅状水受部材７ａが入隅状化粧板６に設けられていると共に、水受部材７ａの少なくとも上縁に入隅状化粧板６側とは反対側に突出する雨水返し用の上張出部７ｂが設けられていることを特徴とする。
【００４７】
この構成によれば、互いに連設する傾斜屋根２、２によって谷部が形成された片流れ屋根を有する建物１に軒樋用入隅飾り５が設けられているので、入隅部の軒先から流れ落ちる雨水が軒樋４を飛び越えて飛散することを防止することができる。
【００４８】
以上、図面を参照して、本発明の実施の形態を詳述してきたが、具体的な構成は、この実施の形態に限らず、本発明の要旨を逸脱しない程度の設計的変更は、本発明に含まれる。
【００４９】
例えば、図６に示すように、実施例２に係る軒樋用入隅飾り５の側縁張出部７ｃ、７ｃと飛散防止部７ｄ、７ｄを設けずに、第１傾斜張出部７ｃ１、７ｃ１を水受部材７ａの両側に連設し、第２傾斜張出部７ｃ２、７ｃ２を第１傾斜張出部７ｃ１、７ｃ１及び上張出部７ｂの両側に連設したものを軒樋用入隅飾り５として用いてもよい。
【００５０】
上記構成によれば、水受部材７ａに沿って流れる雨水が第１傾斜張出部７ｃ１、７ｃ１及び第２傾斜張出部７ｃ２、７ｃ２により屋根側へと案内されるので、軒樋４の外側壁４ｂから軒樋４外に雨水が飛散することがない。
【図面の簡単な説明】
【００５１】
【図１】本発明の実施例１に係る軒樋用入隅飾りが設けられた建物の概略構成図と入隅部における拡大斜視図である。
【図２】本発明の実施例１に係る軒樋用入隅飾りの斜視図である。
【図３】本発明の実施例１に係る軒樋用入隅飾りが設けられた軒樋の断面図である。
【図４】本発明の実施例２に係る軒樋用入隅飾りの斜視図である。
【図５（ａ）】本発明の実施例２に係る軒樋用入隅飾りが設けられた軒樋の断面図である。
【図５（ｂ）】本発明の実施例２に係る軒樋用入隅飾りの底面図である。
【図６】本発明の他の実施例に係る軒樋用入隅飾りの斜視図である。
【図７】従来技術に係る建物の入隅部における斜視図である。
【符号の説明】
【００５２】
１  建物
１ａ  壁部
２  屋根
３  谷樋
４  軒樋
５  軒樋用入隅飾り
５ａ  連結板部
６  化粧板
７ａ  水受部材
７ｂ  上張出部
７ｃ  側縁張出部
７ｄ  飛散防止部
８  取着部
９  耳部
１０  リブ
【図１】
0004593395.tif 000002
【図２】
0004593395.tif 000003
【図３】
0004593395.tif 000004
【図４】
0004593395.tif 000005
【図５（ａ）】
0004593395.tif 000006
【図５（ｂ）】
0004593395.tif 000007
【図６】
0004593395.tif 000008
【図７】
0004593395.tif 000009